(57)【要約】【課題】カラーフィルタを用いなくとも所定色の照射光を壁面に向けて照射することができ、エネルギー消費量及び発熱量を低減させることができ、電源ケーブル等を簡略化し得るホリゾントライト及びこれを備えた照明装置を提供すること。【解決手段】照明装置１は、照射すべき壁面１３に沿って並設された三灯のホリゾントライト２、３及び４を具備しており、ホリゾントライト２、３及び４は、白色発光ダイオード５０を具備した光源と、白色とは異なる色を発光する発光ダイオードを具備した他の光源とを具備している。【選択図】図１
2010182514.tif 000002
【特許請求の範囲】
【請求項１】
光源と、光源に並設された他の光源と、光源及び他の光源が内部に配置されていると共に光出射口を有した筐体とを具備しており、光源は、白色発光ダイオードを具備しており、他の光源は、白色と異なる色を発光する発光ダイオードを具備しているホリゾントライト。
【請求項２】
筐体は、鏡面からなる内面を有していると共に光出射口を有した筐体本体と、光出射口の縁部において筐体本体に装着されたバンドアとを具備しており、バンドアの内側面は鏡面からなる請求項１に記載のホリゾントライト。
【請求項３】
請求項１又は２に記載のホリゾントライトを三灯具備しており、第一のホリゾントライトの他の光源は、第二及び第三のホリゾントライトの夫々の他の光源の発光色とは異なる色を発光する発光ダイオードを具備しており、第二のホリゾントライトの他の光源は、第三のホリゾントライトの他の光源の発光色とは異なる色を発光する発光ダイオードを具備しており、第一、第二及び第三のホリゾントライトは並設されている照明装置。
【請求項４】
第一、第二及び第三のホリゾントライトの夫々の他の光源は、夫々互いに異なる発光色となるように、赤色発光ダイオード、緑色発光ダイオード及び青色発光ダイオードのうちのいずれかの発光ダイオードを具備している請求項３に記載の照明装置。
【発明の詳細な説明】
【技術分野】
【０００１】
本発明は、ＴＶスタジオ、舞台等の壁（ホリゾント）を上方、下方から照らして、光により壁面の演出を行うホリゾントライト及びこれを備えた照明装置に関する。
【背景技術】
【０００２】
特許文献１及び２においては、例えば、光源と、光源が内部に配置された筐体と、筐体の光射出口に取り付けられるカラーフィルタとを具備しており、このカラーフィルタの色によって壁面に対する照射光の色を調整するホリゾントライトが提案されている。斯かるホリゾントライトの光源には、例えば１ＫＷ〜３００Ｗ程度のハロゲンランプが用いられる。
【０００３】
また、壁面の演出は、例えば、白色光を照射するホリゾントライト、赤色光を照射するホリゾントライト、緑色光を照射するホリゾントライト及び青色光を照射するホリゾントライトが四灯並設された照明装置によって行われる。
【先行技術文献】
【特許文献】
【０００４】
【特許文献１】特開２００８−１３０３４１号公報
【特許文献２】特開２００８−１３０３２６号公報
【発明の概要】
【発明が解決しようとする課題】
【０００５】
ところで、斯かるホリゾントライトでは、ハロゲンランプ等からなる一つの光源を有するだけであるために、所定色の照射光を壁面に向けて照射するためにはカラーフィルタを用いなければならず、また、エネルギー消費量及び発熱量も多く、電源ケーブル等を簡略化し得ない。
【０００６】
また、斯かる照明装置では、少なくとも四灯のホリゾントライトを要するために、エネルギー消費量及び発熱量の低減を図り難く、電源ケーブル等を簡略化し得ない。
【０００７】
尚、ホリゾントライトの発熱はＴＶスタジオ、舞台等の温度を上昇させる原因の一つとなっており、斯かる温度の上昇は演出者等の演出にも多大な影響を及ぼすため、ホリゾントライトの発熱量の低減は重要な課題の一つであるといえる。
【０００８】
本発明は、前記諸点に鑑みてなされたものであって、その目的とするところは、カラーフィルタを用いなくとも所定色の照射光を壁面に向けて照射することができ、エネルギー消費量及び発熱量を低減させることができ、電源ケーブル等を簡略化し得るホリゾントライト及びこれを備えた照明装置を提供することにある。
【課題を解決するための手段】
【０００９】
本発明のホリゾントライトは、光源と、光源に並設された他の光源と、光源及び他の光源が内部に配置されていると共に光出射口を有した筐体とを具備しており、光源は、白色発光ダイオードを具備しており、他の光源は、白色と異なる色を発光する発光ダイオードを具備している。
【００１０】
本発明のホリゾントライトによれば、特に、光源は、白色発光ダイオードを具備しており、光源に並設された他の光源は、白色と異なる色を発光する発光ダイオードを具備しているために、カラーフィルタを用いなくとも所定色の照射光を壁面に向けて照射することができ、エネルギー消費量及び発熱量を低減させることができ、電源ケーブル等を簡略化し得る。また、本発明のホリゾントライトによれば、上述の通りに発熱量を低減させることができるので、筐体の排熱口数を減少させ又はなくし得、筐体から光漏れが生じる虞をなくし得る。
【００１１】
本発明のホリゾントライトでは、筐体は、鏡面からなる内面を有していると共に光出射口を有した筐体本体と、光出射口の縁部において筐体本体に装着されたバンドアとを具備しており、バンドアの内側面は鏡面からなっていてもよい。
【００１２】
本発明の照明装置は、上述の本発明のホリゾントライトを三灯具備しており、第一のホリゾントライトの他の光源は、第二及び第三のホリゾントライトの夫々の他の光源の発光色とは異なる色を発光する発光ダイオードを具備しており、第二のホリゾントライトの他の光源は、第三のホリゾントライトの他の光源の発光色とは異なる色を発光する発光ダイオードを具備しており、第一、第二及び第三のホリゾントライトは並設されている。
【００１３】
本発明の照明装置によれば、三灯のホリゾントライトの照射光に基づいて壁面を好適に演出することができ、しかも、エネルギー消費量及び発熱量を低減させることができ、電源ケーブル等を簡略化し得る。
【００１４】
本発明の照明装置では、第一、第二及び第三のホリゾントライトの夫々の他の光源は、夫々互いに異なる発光色となるように、赤色発光ダイオード、緑色発光ダイオード及び青色発光ダイオードのうちのいずれかの発光ダイオードを具備していてもよい。
【発明の効果】
【００１５】
本発明によれば、カラーフィルタを用いなくとも所定色の照射光を壁面に向けて照射することができ、エネルギー消費量及び発熱量を低減させることができ、電源ケーブル等を簡略化し得るホリゾントライト及びこれを備えた照明装置を提供し得る。
【図面の簡単な説明】
【００１６】
【図１】本発明の好ましい一例の正面説明図である。
【図２】図１に示す例の断面説明図である。
【図３】図１に示す例の主に光源の正面説明図である。
【図４】図３に示すＩＶ−ＩＶ線矢視断面説明図である。
【図５】図１に示す例の設置に関する説明図である。
【発明を実施するための形態】
【００１７】
次に、本発明を実施するための形態を、図に示す好ましい例に基づいて更に詳細に説明する。なお、本発明はこれら例に何等限定されないのである。
【実施例】
【００１８】
図１から図５において、本例の照明装置１は、照射すべき壁面１３に沿って並設された図１に示す三灯のホリゾントライト２、３及び４を具備している。照明装置１は、三灯のホリゾントライト２、３及び４からなるホリゾントライト部５を複数具備していてもよい。複数のホリゾントライト部５は壁面１３に沿って並設される。
【００１９】
照明装置１は、例えば図５に示すように、ＴＶスタジオ、舞台等の天井１１又は床面１２に設置され、ＴＶスタジオ、舞台等の照射すべき壁面１３を上方又は下方から照らして当該壁面１３の演出を行うようになっている。尚、図１及び図２においては、壁面１３を下方から照らすホリゾントライト２、３及び４を備えた照明装置１を示す。
【００２０】
ホリゾントライト２は、例えば図２に示すように、光源１５と、光源１５に並設された他の光源１６と、光源１５及び１６が内部に配置されていると共に光出射口１７を有した筐体１８とを具備している。
【００２１】
筐体１８は、鏡面からなる内面２１を有していると共に矩形状の光出射口１７を有した筐体本体２２と、光出射口１７の縁部２３において筐体本体２２に装着されたバンドア２４とを具備している。バンドア２４の内側面２５は、本例では鏡面からなっていてもよい。筐体本体２２の横幅は２５０ｍｍ程度である。内面２１は光源１５及び１６の照射光が光出射口１７を介して壁面１３に向かうように湾曲して形成されていてもよい。バンドア２４は、筐体本体２２にヒンジ等を介して可動に装着されており、バンドア２４の筐体本体２２に対する傾斜角を適宜調整することによってＴＶスタジオ、舞台等の状況に応じた所望の照射光が得られる。尚、光出射口１７にはレンズが装着されてもよい。
【００２２】
光源１５は、例えば図１及び図３に示すように、横方向に一列に並んで筐体本体２２に装着された複数（本例では四つ）のＬＥＤライト３０を具備している。複数のＬＥＤライト３０の夫々は、例えば図３及び図４に示すように、筐体本体２２に着脱自在に取り付けられると共に鏡面からなる内面３２を有した正面視矩形状のケース３１と、横方向において一列に並んでケース３１の内部に設けられた複数の白色発光ダイオード５０とを具備している。
【００２３】
一つのＬＥＤライト３０の複数の白色発光ダイオード５０は、夫々互いに電気的に接続されている。複数の白色発光ダイオード５０は、正面において露出した平面状の発光面３６を夫々有している。複数の白色発光ダイオード５０の発光の制御は、これらに供給される電流等の制御、例えばＰＷＭ制御によって行われ、これにより、光源１５の光量を速やかに且つ漸次的に滑らかに調整し得る。複数の白色発光ダイオード５０の夫々の消費電力は１Ｗ〜２Ｗ程度である。ＬＥＤライト３０の夫々は、これら夫々の消費電力が例えば１０Ｗ程度となるように複数の白色発光ダイオード５０が並設されてもよい。
【００２４】
光源１５に対して鉛直方向において隣接している光源１６は、例えば図１及び図３に示すように、横方向に一列に並んで筐体本体２２に装着された複数（本例では四つ）のＬＥＤライト４０を具備している。複数のＬＥＤライト４０の夫々は、例えば図３及び図４に示すように、筐体本体２２に着脱自在に取り付けられると共に鏡面からなる内面４２を有した正面視矩形状のケース４１と、横方向において一列に並んでケース４１の内部に設けられた複数の白色と異なる色を発光する発光ダイオード、本例では赤色発光ダイオード５１とを具備している。
【００２５】
一つのＬＥＤライト４０の複数の赤色発光ダイオード５１は、夫々互いに電気的に接続されている。複数の赤色発光ダイオード５１は、正面において露出した平面状の発光面４６を夫々有している。複数の赤色発光ダイオード５１の発光の制御は、これらに供給される電流等の制御、例えばＰＷＭ制御によって行われ、これにより、光源１６の光量を速やかに且つ漸次的に滑らかに調整し得る。複数の赤色発光ダイオード５１の夫々の消費電力は１Ｗ〜２Ｗ程度である。ＬＥＤライト４０の夫々は、これら夫々の消費電力が例えば２０Ｗ程度となるように複数の赤色発光ダイオード５１が並設されて形成されてもよい。光源１６の光量は、望ましくは光源１５の光量に対して大きい。
【００２６】
尚、本例では、光源１５は光源１６に対して下方に配設されているが、その逆に配設されてもよい。ＬＥＤライト３０の消費電力が１０Ｗであると共にＬＥＤライト４０の消費電力が２０Ｗである場合には、ホリゾントライト２の消費電力は１２０Ｗとなる。
【００２７】
斯かる光源１５及び１６によれば、ハロゲンランプ等を具備した光源に対してエネルギー消費量を低減することができ、例えば、光源１５は１００Ｗ、光源１６は１６０Ｗもあれば、ハロゲンランプ等を具備した光源に対して同等又は同等以上の十分な光量を得られる。
【００２８】
ホリゾントライト３及び４の夫々は、ホリゾントライト２と同様に形成されているので、図に同符号を適宜付してこれらの詳細な説明を省略する。尚、ホリゾントライト３は、白色と異なる色を発光する発光ダイオードとして赤色発光ダイオード５１に代えて、緑色発光ダイオード５２を具備しており、ホリゾントライト４は、白色と異なる色を発光する発光ダイオードとして赤色発光ダイオード５１に代えて、青色発光ダイオード５３を具備している。ホリゾントライト２の光源１６は、ホリゾントライト３及び４の夫々の他の光源１６の発光色とは異なる色を発光する発光ダイオード（赤色発光ダイオード５１）を具備しており、ホリゾントライト３の他の光源１６は、ホリゾントライト４の他の光源１６の発光色とは異なる色を発光する発光ダイオード（緑色発光ダイオード５２）を具備しており、ホリゾントライト４の他の光源１６は、ホリゾントライト２及び３の他の光源１６の発光色とは異なる色を発光する発光ダイオード（青色発光ダイオード５３）を具備している。
【００２９】
ホリゾントライト２、３及び４は、これら夫々の横幅が例えば２５０ｍｍである場合には、１ｍの範囲内において夫々互いに間隔、例えば等間隔をもって並設することができ、例えば８０ｍｍの間隔をもって夫々並設されてもよい。ホリゾントライト２、３及び４は本例では直列配置されている。
【００３０】
以上の照明装置１では、ホリゾントライト２、３及び４による照射光の光量を適宜調整することによって赤、緑及び青の三つの原色を混ぜる加法混色を速やかに且つ漸次的に滑らかに行い得る。
【００３１】
本例のホリゾントライト２によれば、光源１５は、白色発光ダイオード５０を具備しており、光源１５に並設された他の光源１６は、白色と異なる色を発光する発光ダイオードとしての赤色発光ダイオード５１を具備しているために、カラーフィルタを用いなくとも所定色の照射光を壁面１３に向けて照射することができ、エネルギー消費量及び発熱量を低減させることができ、電源ケーブル等を簡略化し得、また、前述のように発熱量を低減させることができるので、筐体１８の排熱口数を減少させ又はなくし得、筐体１８から光漏れが生じる虞をなくし得る。
【００３２】
ホリゾントライト２によれば、筐体１８は、鏡面からなる内面２１を有していると共に光出射口１７を有した筐体本体２２と、光出射口１７の縁部２３において筐体本体２２に装着されたバンドア２４とを具備しており、バンドア２４の内側面２５は鏡面からなっているために、光出射口１７からの照射光の一部やハレーションをカットし得ると共に、バンドア２４の内側面２５に反射した反射光をも壁面１３の照射に利用し得る。
【００３３】
本例のホリゾントライト３及び４もまた、ホリゾントライト２と同様に形成されているので、ホリゾントライト２と同様に上述の通りの効果を奏し得る。
【００３４】
本例の照明装置１によれば、三灯のホリゾントライト２、３及び４を具備しており、ホリゾントライト２の他の光源１６は、ホリゾントライト３及び４の夫々の他の光源１６の発光色とは異なる色を発光する発光ダイオード（赤色発光ダイオード５１）を具備しており、ホリゾントライト３の他の光源１６は、ホリゾントライト４の他の光源１６の発光色とは異なる色を発光する発光ダイオード（緑色発光ダイオード５２）を具備しており、ホリゾントライト２、３及び４は並設されているために、三灯のホリゾントライト２、３及び４の照射光に基づいて壁面１３を好適に演出することができ、しかも、エネルギー消費量及び発熱量の低減させることができ、電源ケーブル等を簡略化し得る。
【００３５】
照明装置１によれば、ホリゾントライト２、３及び４の夫々の他の光源１６は、夫々互いに異なる発光色となるように、赤色発光ダイオード５１、緑色発光ダイオード５２及び青色発光ダイオード５３のうちのいずれかの発光ダイオードを具備しているために、ホリゾント２、３及び４による照射光の光量を適宜調整することによって赤、緑及び青の三つの原色を混ぜる加法混色を速やかに且つ漸次的に滑らかに行い得る。
【符号の説明】
【００３６】
１  照明装置
２、３、４  ホリゾントライト
１５、１６  光源
１８  筐体
２４  バンドア
５０  白色発光ダイオード
５１  赤色発光ダイオード
５２  緑色発光ダイオード
５３  青色発光ダイオード
【図１】
2010182514.tif 000003
【図２】
2010182514.tif 000004
【図３】
2010182514.tif 000005
【図４】
2010182514.tif 000006
【図５】
2010182514.tif 000007